(57)【要約】【課題】放射線撮影システムにおいて撮影プロトコルを容易に他の撮影プロトコルに置き換えることを可能にする技術を提供する。【解決手段】  被写体に放射線を照射し放射線画像を取得する放射線撮影システムの動作を制御する制御装置は、放射線撮影に関する撮影条件を規定する第１の撮影プロトコルを取得する取得手段と、第１の撮影プロトコルを、当該第１の撮影プロトコルに関連する撮影プロトコルとして予め設定された第２の撮影プロトコルに置換するためのユーザインタフェースを表示手段に表示させる表示制御手段と、操作者がユーザインタフェースを選択したことに応じて、第１の撮影プロトコルを第２の撮影プロトコルに置換する置換手段と、第２の撮影プロトコルにより規定される撮影条件により放射線画像の撮影を制御する制御手段とを備える。【選択図】  図６
2017221345.tif 000002
【特許請求の範囲】
【請求項１】
被写体に放射線を照射し、放射線画像を取得する放射線撮影システムであって、
放射線撮影に関する撮影条件を規定する第１の撮影プロトコルを取得する取得手段と、
前記第１の撮影プロトコルを、当該第１の撮影プロトコルに関連する撮影プロトコルとして予め設定された第２の撮影プロトコルに置換するためのユーザインタフェースを表示手段に表示させる表示制御手段と、
操作者が前記ユーザインタフェースを選択したことに応じて、前記第１の撮影プロトコルを前記第２の撮影プロトコルに置換する置換手段と、
前記第２の撮影プロトコルにより規定される撮影条件により放射線画像の撮影を制御する制御手段と
を備えることを特徴とする放射線撮影システム。
【請求項２】
被写体に放射線を照射し放射線画像を取得する放射線撮影システムの動作を制御する制御装置であって、
放射線撮影に関する撮影条件を規定する第１の撮影プロトコルを取得する取得手段と、
前記第１の撮影プロトコルを、当該第１の撮影プロトコルに関連する撮影プロトコルとして予め設定された第２の撮影プロトコルに置換するためのユーザインタフェースを表示手段に表示させる表示制御手段と、
操作者が前記ユーザインタフェースを選択したことに応じて、前記第１の撮影プロトコルを前記第２の撮影プロトコルに置換する置換手段と、
前記第２の撮影プロトコルにより規定される撮影条件により放射線画像の撮影を制御する制御手段と
を備えることを特徴とする制御装置。
【請求項３】
前記第１の撮影プロトコルに関連する撮影プロトコルが予め設定されているか否かを判定する判定手段をさらに備え、
前記判定手段により、前記第１の撮影プロトコルに関連する撮影プロトコルが設定されていると判定された場合に、前記表示制御手段は、当該設定されている撮影プロトコルを前記第２の撮影プロトコルとして、前記第１の撮影プロトコルを該第２の撮影プロトコルに置換するためのユーザインタフェースを前記表示手段に表示させる
ことを特徴とする請求項２に記載の制御装置。
【請求項４】
操作者の操作に応じて、撮影プロトコルに対して、当該撮影プロトコルに関連する撮影プロトコルを設定する設定手段をさらに備えることを特徴とする請求項２又は３に記載の制御装置。
【請求項５】
前記表示制御手段は、前記第２の撮影プロトコルとして、前記第１の撮影プロトコルと撮影方向が逆方向の撮影プロトコルに置換するためのユーザインタフェースを前記表示手段に表示させることを特徴とする請求項２から４のいずれか１項に記載の制御装置。
【請求項６】
前記放射線撮影システムに適用されうる撮影プロトコルを保持する保持手段と、
前記第１の撮影プロトコルと撮影方向が逆方向の撮影プロトコルが前記保持手段に保持されているか否かを判別する判別手段と、
前記判別手段において、前記第１の撮影プロトコルと撮影方向が逆方向の撮影プロトコルが前記保持手段に保持されていないと判別された場合に、当該逆方向の撮影プロトコルを前記保持手段において作成する作成手段と
をさらに備えることを特徴とする請求項５に記載の制御装置。
【請求項７】
前記表示制御手段は、前記第２の撮影プロトコルとして、前記放射線撮影システムにおいて撮影プロトコルに対して以前なされた変更と同様の変更を第１の撮影プロトコルに適用したものに置換するためのユーザインタフェースを前記表示手段に表示させることを特徴とする請求項２から４のいずれか１項に記載の制御装置。
【請求項８】
前記表示制御手段は、前記第２の撮影プロトコルとして、前記放射線撮影システムにおいて撮影プロトコルに対してなされた最近の変更と同様の変更を第１の撮影プロトコルに適用したものに置換するためのユーザインタフェースを前記表示手段に表示させることを特徴とする請求項７に記載の制御装置。
【請求項９】
前記表示制御手段は、前記第２の撮影プロトコルとして、前記放射線撮影システムにおいて撮影プロトコルに対して以前なされた撮影体位及び撮影方向の少なくともいずれかについての変更と同様の変更を第１の撮影プロトコルに適用したものに置換するためのユーザインタフェースを前記表示手段に表示させることを特徴とする請求項７又は８に記載の制御装置。
【請求項１０】
前記表示制御手段は、
前記第２の撮影プロトコルに置換するためのユーザインタフェースにカーソルが重畳したことに応じて、当該第２の撮影プロトコルの情報を前記表示手段に表示させることを特徴とする請求項２から９のいずれか１項に記載の制御装置。
【請求項１１】
前記制御手段は、前記第２の撮影プロトコルにより規定される撮影条件により、放射線を発生させる放射線発生器と、放射線を検出する放射線検出器との少なくともいずれかの動作を制御することを特徴とする請求項２から１０のいずれか１項に記載の制御装置。
【請求項１２】
前記撮影プロトコルは、前記撮影条件として、撮影体位、撮影部位、撮影方向、撮影に使用する放射線検出器の種類、及び、放射線発生部の種類の少なくともいずれかを含むことを特徴とする請求項２から１１のいずれか１項に記載の制御装置。
【請求項１３】
前記撮影プロトコルは、放射線撮影に関する撮影条件を規定する情報であることを特徴とする請求項２から１２のいずれか１項に記載の制御装置。
【請求項１４】
被写体に放射線を照射し放射線画像を取得する放射線撮影システムの動作を制御する制御装置の制御方法であって、
取得手段が、放射線撮影に関する撮影条件を規定する第１の撮影プロトコルを取得する取得工程と、
表示制御手段が、前記第１の撮影プロトコルを、当該第１の撮影プロトコルに関連する撮影プロトコルとして予め設定された第２の撮影プロトコルに置換するためのユーザインタフェースを表示手段に表示させる表示制御工程と、
置換手段が、操作者が前記ユーザインタフェースを選択したことに応じて、前記第１の撮影プロトコルを前記第２の撮影プロトコルに置換する置換工程と、
制御手段が、前記第２の撮影プロトコルにより規定される撮影条件により放射線画像の撮影を制御する制御工程と
を有することを特徴とする制御方法。
【請求項１５】
コンピュータを請求項２から１３のいずれか１項に記載の制御装置が備える各手段として機能させるためのコンピュータプログラム。
【発明の詳細な説明】
【技術分野】
【０００１】
本発明は放射線撮影システム、制御装置及びその制御方法、コンピュータプログラムに関する。
【背景技術】
【０００２】
医療分野におけるＸ線画像に代表される放射線画像の撮影に関して、被検者に放射線を照射し、透過した放射線の強度を放射線検出器で検出することにより、放射線画像の撮影を行う放射線撮影システムが知られている。また、一般に病院内ではネットワークが構築されており、ネットワークに各種の医療装置が接続され、病院情報システム（ＨＩＳ）、放射線情報システム（ＲＩＳ）、医療用画像サーバ等と連携している。ＨＩＳはHospital Information Systemの略称であり、ＲＩＳはRadiology Information Systemの略称である。
【０００３】
一般的な放射線撮影システムでは撮影に先立ち、検査に対してマニュアルで撮影プロトコルを登録したり、または、ＲＩＳから通知された撮影オーダーに基づき撮影プロトコルが展開され、検査に登録されたりする。この撮影プロトコルには、撮影体位、撮影部位、撮影方向、撮影に使用する放射線検出器、又は放射線発生部の種類等を特定するための情報が含まれている。検査が開始されると、技師は登録された撮影プロトコルに基づいて患者のポジショニング、放射線発生条件などを確認した後、放射線撮影を行う（特許文献１参照）。
【先行技術文献】
【特許文献】
【０００４】
【特許文献１】特開2000-308631号公報
【発明の概要】
【発明が解決しようとする課題】
【０００５】
しかしながら、撮影オーダーによって展開された撮影プロトコルは、実際に撮影する際に技師の判断により別の撮影プロトコルに置き換えられる場合がある。
【０００６】
このような場合、撮影システムに登録されている数ある撮影プロトコルの中から所望する撮影プロトコルを選択して置き換える作業が必要になるところ、従来の構成においては操作性がよいとは言えなかった。そのため、従来の構成においては、放射線検出器を導入する際の操作者の作業負荷が大きく、また、作業ミスにつながる恐れもあった。
【０００７】
本発明は上記課題に鑑みなされたものであり、放射線撮影システムにおいて撮影プロトコルを容易に他の撮影プロトコルに置き換えることを可能にする技術を提供することを目的とする。
【課題を解決するための手段】
【０００８】
上記目的を達成するため、本発明による制御装置は以下の構成を備える。即ち、
被写体に放射線を照射し放射線画像を取得する放射線撮影システムの動作を制御する制御装置であって、
放射線撮影に関する撮影条件を規定する第１の撮影プロトコルを取得する取得手段と、
前記第１の撮影プロトコルを、当該第１の撮影プロトコルに関連する撮影プロトコルとして予め設定された第２の撮影プロトコルに置換するためのユーザインタフェースを表示手段に表示させる表示制御手段と、
操作者が前記ユーザインタフェースを選択したことに応じて、前記第１の撮影プロトコルを前記第２の撮影プロトコルに置換する置換手段と、
前記第２の撮影プロトコルにより規定される撮影条件により放射線画像の撮影を制御する制御手段と
を備える。
【発明の効果】
【０００９】
本発明によれば、放射線撮影システムにおいて撮影プロトコルを容易に他の撮影プロトコルに置き換えることを可能にする技術を提供することができる。
【図面の簡単な説明】
【００１０】
【図１】放射線撮影システムの概略構成を示す図。
【図２】制御装置の構成例を示すブロック図。
【図３】撮影画面の一例を示す図。
【図４】置き換え先の撮影プロトコルを設定する様子の一例を示す図。
【図５】簡易置換ボタンにより撮影プロトコルを置き換える様子を示す図。
【図６】撮影プロトコルの置き換える処理の手順を示すフローチャート。
【図７】逆方向置換ボタンにより撮影プロトコルを置き換える様子を示す図。
【図８】逆方向置換ボタンによる置換の処理の手順を示すフローチャート。
【図９】置換踏襲ボタンにより撮影プロトコルを置き換える様子を示す図。
【図１０】置換踏襲ボタンによる置換の処理の手順を示すフローチャート。
【図１１】置き換え先の撮影プロトコル名をツールチップに表示する様子を示す図。
【図１２】撮影プロトコル名を表示する処理の手順を示すフローチャート。
【発明を実施するための形態】
【００１１】
以下、添付の図面を参照しながら、本発明の実施の形態について説明する。
【００１２】
＜＜第１実施形態＞＞
（１．放射線撮影システムの概略構成）
図１は、本発明の一実施形態（第１実施形態）に係る放射線撮影システム１００の概略構成の一例を示す模式図である。放射線撮影システム１００は、Ｘ線に代表される放射線を被写体に対して照射し、放射線画像を取得する。放射線撮影システム１００は、制御装置１１０と、放射線発生部１１４Ａ、１１４Ｂと、放射線検出器１１５Ａ、１１５Ｂと、放射線部門内情報システム（ＲＩＳ）１３０と、画像サーバ（ＰＡＣＳ）１４０と、院内情報システム（ＨＩＳ）１５０とを備えている。
【００１３】
制御装置１１０は、表示部１１２、操作部１１３、放射線発生部１１４Ａ、１１４Ｂ、および放射線検出器１１５Ａ、１１５Ｂと、有線または無線で接続されており、放射線撮影システム１００を構成する各機器の動作を制御する。また制御装置１１０は、ＲＩＳ１３０、ＰＡＣＳ１４０、ＨＩＳ１５０とネットワーク１２０を介して接続されており、放射線画像や患者情報等をやり取りすることができる。ネットワーク１２０は、典型的には有線のイントラネットであるが、有線・無線を問わず、インターネット等の公衆回線網を経由するようにしてもよい。
【００１４】
表示部１１２は、撮影検査情報、撮影された放射線画像、各種の情報等を表示する。操作部１１３は、操作者からの入力情報を受け付ける。本実施形態では、表示部１１２は液晶ディスプレイ等のモニタ、操作部１１３はキーボードやマウス等のポインティング装置、タッチパネルである。
【００１５】
放射線発生部１１４Ａ、１１４Ｂは、放射線を発生させる放射線管を具備しており、被写体である患者１０００Ａ、１０００Ｂに対して放射線を照射する。患者１０００Ａは立位、患者１０００Ｂは仰臥位であり、放射線発生部１１４Ａ、１１４Ｂ、放射線検出器１１５Ａ、１１５Ｂによる撮影に適した位置へ配置されている。
【００１６】
放射線検出器１１５Ａ、１１５Ｂは、それぞれ放射線発生部１１４Ａ、１１４Ｂから照射された放射線を検出する。制御装置１１０は、放射線検出器１１５Ａ、１１５Ｂで検出されて取得された放射線画像データに対して画像処理を施して、放射線画像として表示部１１２に表示する。
【００１７】
なお、本実施形態に係る放射線撮影システム１００として、ＲＩＳ１３０と、ＰＡＣＳ１４０と、ＨＩＳ１５０とを含む場合の例を説明するが、これらの少なくとも一部を含まない構成にしてもよい。また、図１の例では、放射線発生部および放射線検出器として、放射線発生部１１４Ａ、１１４Ｂ、放射線検出器１１５Ａ、１１５Ｂについて説明したが、さらなる放射線発生部および放射線検出器の組み合わせが放射線撮影システム１００に含まれていてもよい。
【００１８】
（２．制御装置の構成）
次に、本実施形態に係る制御装置１１０の構成例について説明する。まず図２（ａ）は、制御装置１１０のハードウェア構成の一例を示す模式図である。制御装置１１０は、ＣＰＵ２０１と、ＲＡＭ２０２と、ＲＯＭ２０３と、外部メモリ２０４と、通信Ｉ／Ｆ部２０５とを備えており、バスを介して相互に接続されている。
【００１９】
ＣＰＵ（中央演算ユニット）２０１は、制御装置１１０の動作を統括的に制御するものであり、図２（ａ）に示す各構成部（ＲＡＭ２０２〜通信Ｉ／Ｆ部２０５）を、バスを介して制御する。
【００２０】
ＲＡＭ（書込み可能メモリ）２０２は、ＣＰＵ２０１の主メモリ、ワークエリア等として機能する。ＣＰＵ２０１は、処理の実行に際して、ＲＯＭ２０３から必要なプログラム（コンピュータプログラム）２０３１等をＲＡＭ２０２にロードし、当該プログラム２０３１等を実行することで各種の機能動作を実現する。
【００２１】
ＲＯＭ２０３には、ＣＰＵ２０１が処理を実行するために必要なプログラム２０３１等が記憶されている。なお、プログラム２０３１は、外部メモリ２０４に記憶されていてもよい。
【００２２】
外部メモリ２０４には、例えば、ＣＰＵ２０１がプログラム２０３１等を用いた処理を行う際に必要な各種のデータや各種の情報等が記憶されている。また、外部メモリ２０４には、例えば、ＣＰＵ２０１がプログラム２０３１等を用いた処理を行うことにより得られた各種のデータや各種の情報等が記憶される。通信Ｉ／Ｆ部２０５は、外部との通信を司るものである。バスは、ＣＰＵ２０１と、ＲＡＭ２０２、ＲＯＭ２０３、外部メモリ２０４及び通信Ｉ／Ｆ部２０５を通信可能に接続するためのものである
制御装置１１０は、ＰＣ（パーソナルコンピュータ）、タブレット端末等の汎用の情報処理装置により実現されるが、専用の組込み機器により実現してもよい。また、制御装置１１０の構成を複数の装置に分散して実現するようにしてもよい。
【００２３】
また、図２（ｂ）は、本実施形態に係る制御装置１１０のソフトウェア構成を示す機能ブロック図である。制御装置１１０は、操作検出部２１１と、登録部２１２と、保持部２１３と、検索部２１４と、置換部２１５と、判定部２１６と、表示制御部２１７と、制御部２１８とを備えている。各機能は、ＣＰＵ２０１がＲＯＭ２０３に格納されたプログラムをＲＡＭ２０２に展開して実行することで実現される。
【００２４】
操作検出部２１１は、操作部１１３を介したユーザ操作を検出する。登録部（撮影プロトコル登録部）２１２は、放射線撮影システム１００で使用する撮影プロトコルに関連付けられるパラメータを撮影プロトコル名とともに作成及び編集し登録する。撮影プロトコルとは、放射線撮影に関する撮影条件を規定する情報であり、撮影条件や撮影画像に対して施す画像処理の内容等を示すパラメータが含まれる。このようなパラメータの属性は、例えば、撮影体位、撮影部位、撮影方向、撮影に使用する放射線検出器の種類、及び、放射線発生部の種類の少なくともいずれかを含みうるが、これに限られない。例えば、他にも、側性、被写体サイズ、被写体の姿勢、切出しサイズ、放射線の照射条件、画像処理条件等が含まれてもよい。保持部（撮影プロトコル保持部）２１３は、登録部２１２によって入力された撮影プロトコルの情報を外部メモリ２０４に構築されたデータベースなどによって保持する。検索部（撮影プロトコル検索部）２１４は、保持部２１３に保存されている撮影プロトコルを、所定の条件に基づいて検索する。
【００２５】
置換部（撮影プロトコル置換部）２１５は、ユーザ入力の指示に基づいて、撮影プロトコルの置き換え処理を行う。判定部（撮影プロトコル変更可否判定部）２１６は、検索部２１４の検索結果に基づき、撮影プロトコルの置き換えの可否を判定する。表示制御部２１７は、撮影された放射線画像や、操作検出部２１１が検出した操作部１１３を介したユーザ操作に対応した表示、判定部２１６の判定結果などを表示部１１２に表示する。制御部２１８は、放射線撮影システム１００に設定されている各種設定情報の有無の判定、作成及び編集をする。さらに、制御部２１８は、放射線撮影システム１００に適用された撮影プロトコルの撮影条件に従い、放射線を発生させる放射線発生器と、放射線を検出する放射線検出器との少なくともいずれかの動作を制御する。
【００２６】
ここで上述の各機能ブロックはあくまでも一例であり、制御装置１１０は、上述の各機能ブロックの一部を含まない構成としてもよく、さらなる機能ブロックを含む構成としてもよい。
【００２７】
（３．撮影制御画面の一例）
図３は、本実施形態に係る表示部１１２に表示される撮影制御画面３０１の一例を示す。撮影制御画面３０１は、画像表示領域３０２、ステータス表示領域３０３、シングルビューボタン３０４、マルチビューボタン３０５、フレームビューボタン３０６、患者情報表示領域３０７、検査表示領域３０８を有する。検査表示領域３０８は、検査オーダー表示領域３０９、撮影プロトコル３１０を有する。
【００２８】
また、撮影制御画面３０１は、順序繰上げボタン３１１、順序繰下げボタン３１２、検査編集ボタン３１３、画像処理ボタン３１４、計測ボタン３１５、アノテーションボタン３１６を有する。撮影制御画面３０１は、また、検査保留ボタン３１７、画像出力ボタン３１８、検査終了ボタン３１９を有する。
【００２９】
さらに、撮影制御画面３０１は、アノテーション切替えボタン３２０、右回転ボタン３２１、左回転ボタン３２２、左右反転ボタン３２３、上下反転ボタン３２４、白黒反転ボタン３２５、Ｌボタン３２６、Ｒボタン３２７を有する。撮影制御画面３０１は、また、切出しボタン３２８、マスク処理ボタン３２９、再撮影ボタン３３０、写損ボタン３３１、Undoボタン３３２、リセットボタン３３３を有している。
【００３０】
画像表示領域３０２は、撮影した放射線画像をプレビュー表示する。撮影後にプレビュー選択を切り替えた場合はプレビュー選択された放射線画像がプレビュー表示される。また、設定に応じて患者情報、検査情報、照射条件などがアノテーション表示される。なお、検査開始直後の初期状態では、画像は表示されない。
【００３１】
ステータス表示領域３０３は、制御装置１１０や放射線検出器１１５Ａ、１１５Ｂから通知されたステータスを操作者が判別し易いように、色や文字を区別して表示する領域である。放射線検出器１１５Ａ、１１５Ｂからステータス通知を受信した制御装置１１０は、ステータスの組み合わせによって表示内容を判定し、表示部１１２へステータス表示切り替え指示を送信する。例えば、放射線発生部１１４Ａ、１１４Ｂが放射線照射を行えない場合、あるいは、放射線検出器１１５Ａ、１１５Ｂが放射線検出を行えない場合は、センサステータス上に「Not Ready（撮影準備状態を示す表示）」を表示する。また、放射線発生部１１４Ａ、１１４Ｂが放射線照射可能であり且つ放射線検出器１１５Ａ、１１５Ｂが放射線検出可能である場合は、センサステータス上に「Ready（撮影準備完了状態を示す表示）」を表示する。ここで、背景色を「Not Ready」表示時と容易に区別可能な色に変更することで、撮影準備が完了しているか否かを一見して容易に把握することができる。なお、本実施形態では放射線検出器１１５Ａと放射線発生部１１４Ａとがペアであり、放射線検出器１１５Ｂと放射線発生部１１４Ｂとがペアである。そのため、現在の検査で使用する対象となる放射線検出器と放射線発生部との組み合わせについて、センサステータスを表示することになる。放射線検出器及び放射線発生部から撮影準備が完了したことを示す応答信号を受信したことに応じて「Not Ready」を「Ready」に変更する。
【００３２】
シングルビューボタン（シングルビュー指示領域）３０４は、画像表示領域３０２にプレビュー選択されている画像の１フレームを表示するシングルビューへ切り替えるボタンである。複数フレームの画像の場合、プレビュー表示中にキーボードやポインティング装置等の操作によって別フレームの表示や動画再生も可能である。
【００３３】
マルチビューボタン（マルチビュー指示領域）３０５は、画像表示領域３０２を格子状の複数の表示領域に区切り、実施中の検査において撮影された画像群を並列表示するマルチビューへ切り替えるボタンである。実施中の検査において２つ以上の画像が撮影されるまではボタンは無効となり、マルチビューは不可能となる。
【００３４】
フレームビューボタン（フレームビュー指示領域）３０６は、画像表示領域３０２を格子状の複数の表示領域に区切り、プレビュー選択されている動画のフレーム画像群を並列表示するフレームビューへ切り替えるボタンである。プレビュー選択されている画像が動画像でない場合、ボタンは無効となり、フレームビューは不可能となる。
【００３５】
患者情報表示領域３０７は、患者名、患者ＩＤ、生年月日、年齢、性別といった患者情報が表示される領域である。検査表示領域３０８は、一つまたは複数の検査オーダー表示領域３０９ａ、３０９ｂ...を表示している。検査オーダー表示領域３０９ａ、３０９ｂとは、検査ＩＤや検査記述といった検査情報が表示される領域である。また、検査で選択されている撮影検査情報が撮影プロトコル３１０ａ、３１０ｂ、３１０ｃ等に並べて表示される。
【００３６】
撮影プロトコル３１０には、撮影検査名称、放射線検出器の種別等の撮影検査情報と、実施した全ての撮影画像サムネイル３３４が表示されている。また、撮影プロトコル３１０には、撮影実施前の場合は撮影予定サムネイル、撮影実施後の場合は撮影画像サムネイルも含まれてもよい。
【００３７】
順序繰上げボタン（撮影検査実施順序繰り上げ指示領域）３１１は、撮影検査の実施予定順序の繰り上げを指示するボタンである。例えば、撮影プロトコル３１０ｂを選択した状態で順序繰上げボタン３１１を押下すると、選択中の撮影プロトコル３１０ｂが同一検査内の１つ上の撮影プロトコル３１０ａと入れ替わって繰り上がる。ただし、同一検査内で先頭の撮影プロトコル３１０ａが選択されている場合は繰り上がらない。
【００３８】
順序繰下げボタン（撮影検査実施順序繰り下げ指示領域）３１２は、撮影検査の実施予定順序の繰り下げを指示するボタンである。例えば、撮影プロトコル３１０ａを選択した状態で順序繰下げボタン３１２を押下すると、選択中の撮影プロトコル３１０ａが同一検査内の１つ下の撮影プロトコル３１０ｂと入れ替わって繰り下がる。ただし、同一検査内で最後尾の撮影プロトコル３１０ｂが選択されている場合は繰り下がらない。
【００３９】
検査編集ボタン（検査編集指示領域）３１３は、検査編集を指示するボタンである。画像処理ボタン（画像処理指示領域）３１４は、画像処理操作領域の表示・非表示の切り替えを指示するボタンである。計測ボタン（計測指示領域）３１５は、計測操作領域の表示・非表示の切り替えを指示するボタンである。アノテーションボタン（アノテーション編集指示領域）３１６は、アノテーションの編集を指示するボタンである。検査保留ボタン（検査保留指示領域）３１７は、実施中の検査の保留を指示するボタンである。画像出力ボタン（画像出力指示領域）３１８は、実施中の検査に含まれる撮影画像の画像出力を指示するボタンである。検査終了ボタン（検査終了指示領域）３１９は、実施中の検査の終了を指示するボタンである。
【００４０】
アノテーション切替えボタン（表示アノテーション切り替え指示領域）３２０は、画像表示領域３０２におけるアノテーション表示の有無を切り替えるボタンである。右回転ボタン（右回転指示領域）３２１は、プレビュー表示中の撮影画像を右回転させるボタンである。左回転ボタン（左回転指示領域）３２２は、プレビュー表示中の撮影画像を左回転させるボタンである。左右反転ボタン（左右反転指示領域）３２３は、プレビュー表示中の撮影画像を左右反転させるボタンである。上下反転ボタン（上下反転指示領域）３２４は、プレビュー表示中の撮影画像を上下反転させるボタンである。白黒反転ボタン（白黒反転指示領域）３２５は、プレビュー表示中の撮影画像のWindow値を反転させるボタンである。
【００４１】
Ｌボタン（Ｌマーク配置指示領域）３２６は、プレビュー表示中の撮影画像上に側マーカー「Ｌ」を配置させるボタンである。ボタンはON/OFF切り替え可能であり、ONで「Ｌ」を配置し、OFFで「Ｌ」を削除する。Ｒボタン（Ｒマーク配置指示領域）３２７は、プレビュー表示中の撮影画像上にマーカー「Ｒ」を配置させるボタンである。ボタンはON/OFF切り替え可能であり、ONで「Ｒ」を配置し、OFFで「Ｒ」を削除する。切出しボタン（切り出し設定指示領域）３２８は、プレビュー表示中の撮影画像に対する関心領域の切り出し設定を指示するボタンである。マスク処理ボタン（マスク処理指示領域）３２９は、プレビュー表示中の撮影画像に対するマスク処理を指示するボタンである。
【００４２】
再撮影ボタン（再撮影指示領域）３３０は、プレビュー選択中の画像を含む撮影検査に対して再撮影を指示するボタンである。ここで示す再撮影とは、再撮影を指示された画像に対して写損処理を実施し、同一撮影検査を新規で追加する処理を指す。写損ボタン（写損指示領域）３３１は、プレビュー選択中の画像に対して写損を指示するボタンである。写損処理が実施されると、画像情報に含まれる写損設定がONに切り替えられる。Undoボタン（Undo指示領域）３３２は、プレビュー選択中の画像に対する処理の履歴を新しい順に戻すUndo処理を指示するボタンである。リセットボタン（リセット指示領域）３３３は、プレビュー選択中の画像に対する処理を全て破棄し、撮影直後の状態に戻すリセット処理を指示するボタンである。
【００４３】
ユーザは操作部１１３を介して各ボタンを選択指示することができる。あるいは表示部１１２がタッチパネルである場合、直接撮影制御画面３０１をタッチ操作することで各ボタンを選択指示してもよい。
【００４４】
（４．簡易置換設定画面の一例）
本実施形態では、第１の撮影プロトコルを取得すると、第１の撮影プロトコルを、当該第１の撮影プロトコルに関連する撮影プロトコルとして予め設定された第２の撮影プロトコルに置換するためのユーザインタフェースを表示部に表示させる表示制御を行う。そして、操作者がこのユーザインタフェースを選択したことに応じて、第１の撮影プロトコルを第２の撮影プロトコルに置換し、第２の撮影プロトコルにより規定される撮影条件により放射線画像の撮影を制御する。このように、本実施形態では、撮影プロトコルを取得すると、それに関連する撮影プロトコルに置換するためのユーザインタフェースを選択可能に表示するため、所与の撮影プロトコルをそれに関連する撮影プロトコルへ容易に置換することが可能となる。ここでは、操作者の操作に応じて、撮影プロトコルに対して、当該撮影プロトコルに関連する撮影プロトコルを設定する処理について説明する。
【００４５】
図４（ａ）は、本実施形態に係る表示部１１２に表示される簡易置換設定画面４０１の一例を示す。簡易置換設定画面４０１は、撮影プロトコル名表示領域４０２、ワークスペース名表示領域４０３、置換候補表示領域４０４、撮影プロトコル表示領域４０５、対象表示４０６、設定取消しボタン４０７、設定完了ボタン４０８を有している。
【００４６】
撮影プロトコル名表示領域４０２は、放射線撮影システム１００に登録されている内の一つである撮影プロトコル名が表示される。ワークスペース名表示領域４０３は、撮影プロトコル名表示領域４０２に表示されている撮影プロトコルに対するワークスペース名を表示する領域である。ワークスペース名とは、撮影に使用する放射線検出器とその放射線検出器の種別、及び撮影姿勢の組み合わせ情報である。
【００４７】
置換候補表示領域（撮影プロトコル置換候補リスト表示領域）４０４は、撮影プロトコル名表示領域４０２に表示されている撮影プロトコルを置換する際に置換対象として選択画面に優先的に表示される撮影プロトコルの一覧である。撮影プロトコル表示領域４０５は、置換候補表示領域４０４に表示されている撮影プロトコルの内の一つであり、各撮影プロトコルについて撮影プロトコル名とワークスペース名が表示されている。対象表示（簡易置換対象表示）４０６は、撮影プロトコル名表示領域４０２に表示されている撮影プロトコルに対し、簡易置換の対象であることを示す絵柄である。
【００４８】
設定取消しボタン４０７は、簡易置換の設定の取消しを指示するボタンである。設定完了ボタン４０８は、簡易置換の設定内容の確定を指示するボタンである。
【００４９】
操作者は、第１の撮影プロトコルとして取得された４０２のプロトコルに対して、置換候補表示領域４０４に列挙されている撮影プロトコルの中から所望のものを選択し、設定完了ボタン４０８を選択する。これに応じて、制御装置１１０は、選択された撮影プロトコルを、撮影プロトコル名表示領域４０２に表示されている撮影プロトコルに関連する撮影プロトコルとして設定する。
【００５０】
（５．検査表示領域の一例）
図５（ａ）、（ｂ）は、本実施形態に係る表示部１１２に表示される検査表示領域３０８の一例を示す。図３と同じ要素については同一の参照符号を付し、詳細な説明を省略する。
【００５１】
図５（ａ）の撮影プロトコル３１０は、第１の撮影プロトコルを第２の撮影プロトコルに置換するためのユーザインタフェースとしての簡易置換ボタン５０１を有している。簡易置換ボタン５０１は、操作者が押下することで、簡易置換設定画面４０１で設定した撮影プロトコルに置換することができるボタンである。
【００５２】
図５（ｂ）は、簡易置換ボタン５０１の押下後の検査表示領域３０８の一例を示している。図５（ｂ）では、撮影方向がＡＰ（前後方向）の「Ｃｈｅｓｔ  ＡＰ」の撮影プロトコル３１０から撮影方向がＰＡ（後前方向）の「Ｃｈｅｓｔ  ＰＡ」の撮影プロトコル５０２に変更されている。ＡＰはＡｎｔｅｒｉｏｒ／Ｐｏｓｔｅｒｉｏｒの略称であり、ＰＡはＰｏｓｔｅｒｉｏｒ／Ａｎｔｅｒｉｏｒの略称である。これは、図４において、ワークスペース名ＷＳ−ＣＸＤ１５０ＧのＣｈｅｓｔ  ＡＰのプロトコルに対して、ワークスペース名ＷＳ−ＣＸＤ１５０ＧのＣｈｅｓｔ  ＰＡのプロトコルが簡易置換対象として予め選択・設定されていることに対応している。このように、操作者が簡易置換ボタン５０１を選択したことに応じて、第１の撮影プロトコルと第２の撮影プロトコルとを相互に置換することで、撮影プロトコルを容易に置換することが可能となり、また、作業ミスを防止することができる。
【００５３】
（６．撮影プロトコル置換処理の一例）
図６は、本実施形態に係る放射線撮影システム１００に対し、簡易置換設定を用いて撮影プロトコルを置換する処理の手順を示すフローチャートである。図６の各ステップは、ＣＰＵ２０１の制御に基づき実行される。
【００５４】
まず、ステップＳ６０１において、検索部２１４は、検査表示領域３０８に表示されている撮影プロトコルに対し簡易置換設定済みの撮影プロトコルの有無を保持部２１３において検索する。
【００５５】
次に、ステップＳ６０２で、判定部２１６はステップＳ６０１の検索結果より、簡易置換設定済みの撮影プロトコルが存在するか判定する。このようにして、所与の第１の撮影プロトコルに関連する撮影プロトコルが予め設定されているか否かを判定する。存在する場合（Ｓ６０２；ＹＥＳ）はステップＳ６０３に進む。一方、存在しない場合（Ｓ６０２；ＮＯ）は処理を終了する。
【００５６】
ステップＳ６０３では、表示制御部２１７が表示部１１２にステップＳ６０２の判定結果に基づき、撮影プロトコル３１０上に簡易置換ボタン５０１を表示させる。すなわち、第１の撮影プロトコルに関連する撮影プロトコルが設定されていると判定された場合に、当該設定されている撮影プロトコルを第２の撮影プロトコルとして、第２の撮影プロトコルに置換するためのユーザインタフェースを表示させる。
【００５７】
次に、ステップＳ６０４では、操作検出部２１１で簡易置換ボタン５０１が押下されたか判定する。押下された場合（Ｓ６０４；ＹＥＳ）はステップＳ６０５に進む。一方、押下されない場合（Ｓ６０４；ＮＯ）は処理を終了する。
【００５８】
ステップＳ６０５では、置換部２１５が、簡易置換ボタン５０１が押下された撮影プロトコル３１０に対し、簡易置換設定画面４０１で設定された撮影プロトコルに置換する。そして、ステップＳ６０２に戻る。以上で図６のフローチャートの各処理が終了する。
【００５９】
以上説明したように、本実施形態では、予め簡易置換設定画面４０１で簡易置換の設定をしている撮影プロトコルには、簡易置換ボタン５０１を表示し、押下することで所望の撮影プロトコルに即座に置換することができる。これにより、登録されている撮影プロトコルの中から所望の撮影プロトコルを選択する作業を介さずに撮影プロトコルが置換でき撮影フローの効率化が可能となる。
【００６０】
＜＜第２実施形態＞＞
第１実施形態では、操作者の操作に応じて各撮影プロトコルに予め設定された置換先の撮影プロトコルに置換する例を説明した。もっとも、置換候補として予め設定される撮影プロトコルは、操作者の操作により設定されるものに限られない。第２実施形態では、置換先が設定されていない撮影プロトコルについては、撮影方向が逆方向の撮影プロトコルに即座に置換可能な例を説明する。換言すれば、本実施形態では、置換先の撮影プロトコルとして、所与の撮影プロトコルと撮影方向が逆方向の撮影プロトコルが予め設定されている例を説明する。
なお、本実施形態に係る放射線撮影システム１００、制御装置１１０等の構成は、第１実施形態と同様であるため、詳細な説明を省略する。
【００６１】
図７（ａ）、（ｂ）は、第２実施形態に係る表示部１１２に表示される検査表示領域３０８の一例を示す。図５と同じ要素については同一の参照符号を付し、詳細な説明を省略する。
【００６２】
図７（ａ）の撮影プロトコル３１０は、逆方向置換ボタン７０１を有している。逆方向置換ボタン７０１は、押下することで、撮影方向が逆方向の撮影プロトコルに置換することができるボタンである。逆方向置換ボタン７０１は、簡易置換ボタン５０１とは異なる表示とすることで、簡易置換ボタン５０１と容易に区別することが可能となる。
【００６３】
図７（ｂ）は図７（ａ）の逆方向置換ボタン７０１の押下後の検査表示領域３０８の一例である。この例では、撮影方向がＡＰ（前後方向）の「Ａｂｄｏｍｅｎ  ＡＰ」の撮影プロトコル３１０から撮影方向がＰＡ（後前方向）の「Ａｂｄｏｍｅｎ  ＰＡ」の撮影プロトコル５０２に変更されている。図５と同様に、ＡＰはＡｎｔｅｒｉｏｒ／Ｐｏｓｔｅｒｉｏｒの略称であり、ＰＡはＰｏｓｔｅｒｉｏｒ／Ａｎｔｅｒｉｏｒの略称である。
【００６４】
図８は、第２実施形態に係る制御装置１１０が、放射線撮影システム１００に対し、撮影方向が逆方向の撮影プロトコルに置換する処理の手順を示すフローチャートである。図６と同様の処理については同一の符号を付し、詳細な説明を省略する。図８の各ステップは、ＣＰＵ２０１の制御に基づき実行される。
【００６５】
図６と同様に、まず、ステップＳ６０１において、検索部２１４は、表示されている撮影プロトコルに対し簡易置換設定済みの撮影プロトコルの有無を検索する。次に、ステップＳ６０２で、判定部２１６は簡易置換設定済みの撮影プロトコルが存在するか判定する。存在する場合（Ｓ６０２；ＹＥＳ）はＳ６０３へ進み、存在しない場合（Ｓ６０２；ＮＯ）はＳ８０１へ進む。Ｓ６０３以降の処理は図６と同様である。
【００６６】
ステップＳ８０１では、表示制御部２１７が表示部１１２にステップＳ６０２の判定結果に基づき、撮影プロトコル３１０上に逆方向置換ボタン７０１を表示させる。
次に、ステップＳ８０２では、操作検出部２１１は、逆方向置換ボタン７０１が押下されたか判定する。押下された場合（Ｓ８０２；ＹＥＳ）はステップＳ８０３に進む。一方、押下されない場合（Ｓ８０２；ＮＯ）は処理を終了する。
【００６７】
ステップＳ８０３では、検索部２１４は、逆方向置換ボタン７０１が押下された撮影プロトコルに対し撮影方向が逆方向の撮影プロトコルの有無を保持部２１３から検索する。次にステップＳ８０４で、判定部２１６はステップＳ８０３の検索結果より、撮影方向が逆方向の撮影プロトコルが存在するか判定・判別する。存在する場合（Ｓ８０４；ＹＥＳ）はステップＳ６０５に進む。ステップＳ６０５では、置換部２１５が、逆方向置換ボタン７０１が押下された撮影プロトコル３１０に対し、対応する逆方向の撮影プロトコルに置換する。そして、処理を終了する。一方、存在しない場合（Ｓ８０４；ＮＯ）はステップＳ８０５に進む。
【００６８】
ステップＳ８０５では、登録部２１２が、逆方向置換ボタン７０１が押下された撮影プロトコルに対し撮影方向が逆方向の撮影プロトコルを作成し、保持部２１３に登録する。そして、ステップＳ６０５へ進み、置換部２１５が、逆方向置換ボタン７０１が押下された撮影プロトコル３１０に対し、ステップＳ８０５で作成された撮影プロトコルに置換する。そして、処理を終了する。以上で図８のフローチャートの各処理が終了する。
【００６９】
以上説明したように、第２実施形態では、予め簡易置換設定画面４０１で簡易置換の設定をしていない撮影プロトコルには、逆方向置換ボタン７０１を表示し、押下することで撮影方向が逆方向の撮影プロトコルに即座に置換することができる。これにより、簡易置換の設定や撮影プロトコルの新規作成を行わずとも撮影方向が逆方向の撮影プロトコルに置換でき、簡易置換の設定漏れや設定間違い、撮影プロトコルの新規作成の手間を省けるため、更なる撮影フローの効率化が可能となる。
【００７０】
なお、本実施形態では、置換先の候補となる撮影プロトコルとして所与の撮影プロトコルと撮影方向が逆の撮影プロトコルが予め設定されている場合の例を説明したが、置換先の候補となる撮影プロトコルはこれに限られない。例えば、撮影プロトコルを定めるパラメータの一部の値を他の代表的な値に設定したものを置換先の候補の撮影プロトコルとして予め設定するようにしてもよい。これにより、放射線撮影システムの用途や目的に応じて、適切な撮影プロトコルへの置換を容易に行うことが可能となる。
【００７１】
＜＜第３実施形態＞＞
第１、第２実施形態では、置換候補として撮影プロトコルが、操作者または放射線撮影システムの設計者等により予め設定される場合の例を説明した。本実施形態では、置換先の候補となる撮影プロトコルとして、放射線撮影システム１００において撮影プロトコルに対して以前なされた変更と同様の変更を所与の撮影プロトコルに適用したものが予め設定される場合の例を説明する。すなわち、第３実施形態では、最近ないし直前に撮影体位及び撮影方向の少なくともいずれかを置換した撮影プロトコルの置換内容から他の未撮影の撮影プロトコルに置換ボタンを表示する例を説明する。なお、本実施形態に係る放射線撮影システム１００、制御装置１１０等の構成は、第１実施形態と同様であるため、詳細な説明を省略する。
【００７２】
一般に、撮影体位や撮影方向を頻繁に変更することは、撮影フローの効率の低下ばかりでなく、患者の負担増にも繋がるため、直前に撮影した撮影体位、撮影方向と同一であることが望ましい。
【００７３】
図９（ａ）、（ｂ）は、第３実施形態に係る表示部１１２に表示される検査表示領域３０８の一例を示す。図５と同じ要素については同一の参照符号を付し、特に必要のない限り詳細な説明を省略する。
【００７４】
図９（ａ）の撮影プロトコル９０１は、撮影体位が立位の撮影プロトコルから臥位の撮影プロトコルに置換された後の表示の例を示している。撮影プロトコル３１０は置換踏襲ボタン９０２を有している。置換踏襲ボタン９０２は、検査オーダー表示領域３０９に置換済みの撮影プロトコルが存在すれば表示される。置換踏襲ボタン９０２は、押下することで、直前に撮影体位及び撮影方向の少なくともいずれかを置換した撮影プロトコルの置換内容に沿った撮影プロトコルに置換することができるボタンである。置換踏襲ボタン９０２は、簡易置換ボタン５０１とは異なる表示とすることで、簡易置換ボタン５０１と容易に区別可能とすることができる。
【００７５】
図９（ｂ）は、図９（ａ）の置換踏襲ボタン９０２の押下後の検査表示領域３０８の一例である。この例では、撮影方向がＡＰ（前後方向）の「Ａｂｄｏｍｅｎ  ＡＰ」の撮影プロトコル３１０から撮影方向がＲＬＤ（右側臥位）の「Ａｂｄｏｍｅｎ  ＲＬＤ」の撮影プロトコル９０３に変更されている。図５と同様に、ＡＰはＡｎｔｅｒｉｏｒ／Ｐｏｓｔｅｒｉｏｒの略称である。ＲＬＤはＲｉｇｈｔ  Ｌａｔｅｒａｌ  Ｄｅｃｕｂｉｔｕｓの略称である。
【００７６】
図１０は、第３実施形態に係る制御装置１１０が、放射線撮影システム１００に対し、撮影体位及び撮影方向の少なくともいずれかを変更した撮影プロトコルに置換する処理の手順を示すフローチャートである。図６と同様の処理については同一の符号を付し、詳細な説明を省略する。図１０の各ステップは、ＣＰＵ２０１の制御に基づき実行される。
【００７７】
図６と同様に、まず、ステップＳ６０１において、検索部２１４は、表示されている撮影プロトコルに対し簡易置換設定済みの撮影プロトコルの有無を検索する。次に、ステップＳ６０２で、判定部２１６は簡易置換設定済みの撮影プロトコルが存在するか判定する。存在する場合（Ｓ６０２；ＹＥＳ）はＳ６０３へ進み、存在しない場合（Ｓ６０２；ＮＯ）はＳ１００１へ進む。Ｓ６０３以降の処理は図６と同様である。
【００７８】
ステップＳ１００１では、検索部２１４が検査オーダー表示領域３０９に撮影体位及び撮影方向の少なくともいずれかを変更した撮影プロトコルが存在するか検索する。次にステップＳ１００２では、判定部２１６はステップＳ１００１の検索結果より、検査オーダー表示領域３０９に撮影体位及び撮影方向の少なくともいずれかを変更した撮影プロトコルが存在するか判定する。存在する場合（Ｓ１００２；ＹＥＳ）はステップＳ１００３に進む。一方、存在しない場合（Ｓ１００２；ＮＯ）は処理を終了する。
【００７９】
ステップＳ１００３では、表示制御部２１７が表示部１１２にステップＳ１００２の判定結果に基づき、撮影プロトコル３１０上に置換踏襲ボタン９０２を表示させる。ステップＳ１００４では、操作検出部２１１で置換踏襲ボタン９０２が押下されたか判定する。押下された場合（Ｓ１００４；ＹＥＳ）はステップＳ１００５に進む。一方、押下されない場合（Ｓ１００４；ＮＯ）は処理を終了する。
【００８０】
ステップＳ１００５では、検索部２１４が直前に撮影体位、撮影方向を置換した撮影プロトコルの置換内容を取得する。ステップＳ１００６では、検索部２１４は、置換踏襲ボタン９０２が押下された撮影プロトコルに対し、ステップＳ１００５で取得した置換内容に対応した撮影プロトコルの有無を保持部２１３から検索する。
【００８１】
ステップＳ１００７では、判定部２１６がステップＳ１００７の検索結果より、置換先の撮影プロトコルが存在するか判定する。存在する場合（Ｓ１００７；ＹＥＳ）はステップＳ６０５に進む。ステップＳ６０５では、置換部２１５が、置換踏襲ボタン９０２が押下された撮影プロトコル３１０に対し、対応する置換先の撮影プロトコルに置換する。そして、処理を終了する。一方、存在しない場合（Ｓ１００８；ＮＯ）に進む。
【００８２】
ステップＳ１００８では、登録部２１２が、置換踏襲ボタン９０２が押下された撮影プロトコルに対し、ステップＳ１００５で取得した置換内容に対応した撮影プロトコルを作成し、保持部２１３に登録する。そして、Ｓ６０５へ進み、置換部２１５が、置換踏襲ボタン９０２が押下された撮影プロトコル３１０に対し、ステップＳ１００８で作成された撮影プロトコルに置換する。そして、処理を終了する。以上で図１０のフローチャートの各処理が終了する。
【００８３】
以上説明したように、第３実施形態では、最近ないし直前に撮影体位や撮影方向を置換した撮影プロトコルの置換内容から他の未撮影の撮影プロトコルに置換ボタンを表示、押下することで撮影プロトコルを即座に置換することができる。これにより、連続した撮影において直前に撮影した撮影体位や撮影方向を同一するための変更が容易になり、撮影フローの効率化だけでなく、患者の負担の低減にも繋がることが期待できる。
【００８４】
＜＜第４実施形態＞＞
第４実施形態では、置換候補となる撮影プロトコルに置換するためのユーザインタフェースにカーソルが重畳したことに応じて、当該撮影プロトコルの情報を表示部に表示させる例を説明する。より具体的には、撮影プロトコルに表示している置換ボタン上に操作部１１３に係るポインティング装置のカーソルが存在する場合に、置換先の撮影プロトコル名を表示する例を説明する。以下、カーソルが対象画像の上に存在することをカーソルオーバーという。なお、本実施形態に係る放射線撮影システム１００、制御装置１１０等の構成は、第１実施形態と同様であるため、詳細な説明を省略する。
【００８５】
図１１は、第４実施形態に係る表示部１１２に表示される検査表示領域３０８の一例を示す。図５と同じ要素については同一の参照符号を付しており、特に必要のない限り詳細な説明を省略する。
【００８６】
図１１のカーソル１１０１は、操作者のポインティング装置の操作によって撮影プロトコル３１０に表示されている置換ボタン１１０３を押下することができる。ツールチップ１１０２は、カーソル１１０１が置換ボタンをカーソルオーバーした際に表示され、置換ボタンが押下されたことに応じた置換後の撮影プロトコルの内容を表示する。置換ボタン１１０３は、撮影プロトコル上に表示されているボタンである。置換ボタン１１０３を押下することで、特定の撮影プロトコル（ツールチップ１１０２に表示された撮影プロトコル）に置換することができる。
【００８７】
図１２は、第４実施形態に係る制御装置１１０が、放射線撮影システム１００に対し、置換ボタン上をカーソルオーバーすることで置換内容を表示する処理の手順を示すフローチャートである。図６と同様の処理については同一の符号を付し、詳細な説明を省略する。図１２の各ステップは、ＣＰＵ２０１の制御に基づき実行される。
【００８８】
図６と同様に、まず、ステップＳ６０１において、検索部２１４は、表示されている撮影プロトコルに対し簡易置換設定済みの撮影プロトコルの有無を検索する。次に、ステップＳ６０２で、判定部２１６は簡易置換設定済みの撮影プロトコルが存在するか判定する。存在する場合（Ｓ６０２；ＹＥＳ）はステップＳ６０３へ進み、存在しない場合（Ｓ６０２；ＮＯ）は処理を終了する。ステップＳ６０３では、表示制御部２１７が表示部１１２にステップＳ６０２の判定結果に基づき、撮影プロトコル３１０上に簡易置換ボタン５０１を表示させる。
【００８９】
ステップＳ１２０１では、操作検出部２１１が、カーソル１１０１が置換ボタン１１０３の領域上にカーソルオーバーしているか判定する。カーソルオーバーしているのであれば（Ｓ１２０１；ＹＥＳ）、ステップＳ１２０２に進む。カーソルオーバーされてなければ（Ｓ１２０１；ＮＯ）、カーソルオーバーされるまで待機する。
【００９０】
ステップＳ１２０２では、検索部２１４がカーソルオーバーしている撮影プロトコルの置換先の撮影プロトコル名を取得する。ステップＳ１２０３では、表示制御部２１７が取得した撮影プロトコル名をツールチップに表示する。そして、ステップＳ６０４へ進む。ステップＳ６０５以降の処理は図６と同様である。以上で図１２のフローチャートの各処理が終了する。
【００９１】
以上説明したように、第４実施形態では、撮影プロトコルに表示している置換ボタン上をカーソルオーバーすることでツールチップ上に置換先の撮影プロトコル名を表示できる。これにより、操作者が置換先の撮影プロトコルの把握が容易になり、操作性の向上や誤って置換ボタンを押下したことによる意図しない撮影プロトコルへの置換してしまうことへの防止が期待される。
【００９２】
以上のように、本発明の各実施形態においては、撮影プロトコルを特定の撮影プロトコルに置き換える置換先の候補を予め設定し、置換先候補を示すユーザインタフェースの選択に応じて、設定された撮影プロトコルに置き換える。そして、置換された撮影プロトコルに基づいて撮影プロトコルに関連する放射線検出器又は放射線発生部の少なくとも一方を制御する。
【００９３】
これにより、予め置き換え先の撮影プロトコルを設定しておくことで、登録されている撮影プロトコルの中から所望の撮影プロトコルを選択する作業を介さずに撮影プロトコルが置換でき、撮影プロトコルの置換処理に伴う操作性の向上が期待できる。また、システムに登録されていない撮影プロトコルに置き換えする場合でも、システムが自動で撮影プロトコルの作成、登録、置き換えをすることで手動による撮影プロトコルの登録作業が不要になる。そのため、システムの設置作業に係る時間の短縮化にも寄与することが期待される。
【００９４】
＜＜その他の実施形態＞＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９５】
１００：放射線撮影システム、１１０：制御装置、１１２：表示部、１１３：操作部、１１４Ａ，１１４Ｂ：放射線発生部、１１５Ａ，１１５Ｂ：放射線検出器、１３０：ＲＩＳ、１４０：ＰＡＣＳ、１５０：ＨＩＳ、１０００Ａ，１０００Ｂ：患者
【図１】
2017221345.tif 000003
【図２】
2017221345.tif 000004
【図３】
2017221345.tif 000005
【図４】
2017221345.tif 000006
【図５】
2017221345.tif 000007
【図６】
2017221345.tif 000008
【図７】
2017221345.tif 000009
【図８】
2017221345.tif 000010
【図９】
2017221345.tif 000011
【図１０】
2017221345.tif 000012
【図１１】
2017221345.tif 000013
【図１２】
2017221345.tif 000014